(57)【要約】【課題】  多視点映像を提供するディスプレイ装置を提供する。【解決手段】  装置は、パネル部及び光学部を含んでもよい。パネル部が複数の視点それぞれに対応する複数のピクセルを介して光を提供し、光学部はこれを予め指定された視聴距離の左眼位置及び右眼位置にそれぞれ提供する。この場合、光学部は、前記左眼位置及び前記右眼位置に、前記複数のピクセルのうち不連続な視点インデックスを有する視点映像のためのピクセルからの光が向けられるように構成してもよい。【選択図】      図１
2015069210.tif 000002
【特許請求の範囲】
【請求項１】
多視点映像を提供するディスプレイ装置であって、
ピクセルアレイを含むパネル部であって、前記ピクセルアレイは、光学部に前記多視点映像の複数の視点に対応する光をそれぞれ提供するための複数のピクセルを含む、パネル部と、
前記複数のピクセルのうち不連続な視点インデックスを有する前記多視点映像の視点映像のための光を提供するピクセルからの光を、ユーザの左眼位置と右眼位置それぞれに向ける光学部と、
を備えることを特徴とするディスプレイ装置。
【請求項２】
多視点映像を提供するディスプレイ装置であって、
複数のピクセルを有するピクセルアレイを含むパネル部と、
ビューイングコーンを形成し、前記ピクセルからの光を前記ビューイングコーンに向ける光学部と、
を備え、
前記ビューイングコーンは、前記光学部からの不連続な視点インデックスを有する前記多視点映像の視点映像のための前記ピクセルからの光をユーザの左眼位置と右眼位置に提供することを特徴とするディスプレイ装置。
【請求項３】
前記多視点映像の視点映像それぞれの深さ感視差を調整し、前記不連続な視点インデックスを有する視点映像を用いることによって発生する誇張した深さ感を補償する処理部をさらに備えることを特徴とする請求項１又は２に記載のディスプレイ装置。
【請求項４】
前記処理部は、前記視点インデックスの不連続性が増加するほど前記多視点映像の視点映像の深さ感視差を減少させることを特徴とする請求項３に記載のディスプレイ装置。
【請求項５】
前記光学部は、連続的な視点インデックスを有する視点映像のためのピクセルアレイのピクセルからの光を前記左眼位置と前記右眼位置それぞれに向ける場合より少ないクロストークを生じることを特徴とする請求項１又は２に記載のディスプレイ装置。
【請求項６】
前記光学部は、
前記連続的な視点インデックスを有する視点映像のためのピクセルアレイのピクセルからの光を前記左眼位置と前記右眼位置それぞれに向ける場合より小さい屈折率を有し、３Ｄ効果を提供することを特徴とする請求項５に記載のディスプレイ装置。
【請求項７】
前記光学部は、
前記連続的な視点インデックスを有する視点映像のためのピクセルアレイのピクセルからの光を前記左眼位置と前記右眼位置それぞれに向ける場合より大きい曲率半径を有し、３Ｄ効果を提供することを特徴とする請求項５に記載のディスプレイ装置。
【請求項８】
前記光学部は、
前記連続的な視点インデックスを有する視点映像のためのピクセルアレイのピクセルからの光を前記左眼位置と前記右眼位置それぞれに向ける場合より小さいレンズアレイのピッチを有し、３Ｄ効果を提供することを特徴とする請求項５に記載のディスプレイ装置。
【請求項９】
前記光学部は、
前記連続的な視点インデックスを有する視点映像のためのピクセルアレイのピクセルからの光を前記左眼位置と前記右眼位置それぞれに向ける場合より、前記パネル部から前記光学部の表面までの距離が大きく、３Ｄ効果を提供することを特徴とする請求項５に記載のディスプレイ装置。
【請求項１０】
前記光学部は、
前記連続的な視点インデックスを有する視点映像のためのピクセルアレイのピクセルからの光を前記左眼位置と前記右眼位置それぞれに向ける場合より、小さいレンズアレイ間隔を有し、３Ｄ効果を提供することを特徴とする請求項５に記載のディスプレイ装置。
【請求項１１】
多視点映像の他の視点を示す異なる視点映像のための光を提供し、連続的な視点インデックスによる視点映像が複数のピクセルの繰り返される順次的な配列によって順次投影されるように前記複数のピクセルを駆動するパネル部と、
不連続な視点インデックスを有する前記多視点映像の視点映像のための光を提供するピクセルからの光をユーザの左眼位置と右眼位置それぞれに向ける光学部と、
を備えることを特徴とする多視点映像を提供するためのディスプレイ装置。
【請求項１２】
多視点映像の複数の視点それぞれに対応する複数のピクセルからの光を提供するステップと、
前記複数のピクセルのうち不連続な視点インデックスを有する前記多視点映像の視点映像のための光を提供するピクセルからの光を、ユーザの左眼位置と右眼位置それぞれに向けるステップと、
を含むことを特徴とする多視点映像提供方法。
【請求項１３】
多視点映像の複数の視点それぞれに対応するピクセルからの光を提供するステップと、
ビューイングコーンを形成し、ピクセルアレイに含まれる複数のピクセルからの光を前記ビューイングコーンに向けるステップと、
を含み、
前記ビューイングコーンは、不連続な視点インデックスを有する前記多視点映像の視点映像のための前記ピクセルからの光をユーザの左眼位置と右眼位置に提供することを特徴とする多視点映像提供方法。
【請求項１４】
前記不連続な視点インデックスを有する視点映像を用いることによって発生する誇張した深さ感を補償するように、前記多視点映像の視点映像の深さ感視差を減少させるステップをさらに含むことを特徴とする請求項１２又は１３に記載の多視点映像提供方法。
【請求項１５】
ディスプレイ装置に方法を実行させるプログラムであって、前記方法は、
多視点映像の深さ感視差を１／Ｎ倍に減少させるステップであって、Ｎは１よりも大きい自然数である、ステップと、
前記多視点映像の複数の視点それぞれを示す前記多視点映像の複数の視点映像に対応する光を提供するようパネル部のピクセルアレイに含まれる複数のピクセルを駆動し、前記複数のピクセルのうちインデックスがＮだけ離れたピクセルから提供される光がユーザの左眼位置と右眼位置それぞれに不連続な視点インデックスを有する視点映像を提供するステップと、
を含む、プログラム。
【発明の詳細な説明】
【技術分野】
【０００１】
本発明は、ディスプレイ装置及びディスプレイ装置の動作方法に関する。より詳しくは、多視点ディスプレイ装置、例えば、テレビ、個人用電子機器などで視点を調整する方法及びディスプレイ装置に関する。
【背景技術】
【０００２】
３次元の感覚または効果を提供する３次元イメージを効率よく認識するために、他の視点のイメージを観察者に提供することができる。例えば、立体ディスプレイは人の左眼及び右眼にそれぞれ異なるイメージを提供する。立体ディスプレイは、フィルタリングメガネの着用によって、１つのイメージは左眼でフィルタリングされ、他のイメージは右眼でフィルタリングされるという、フィルタリングプロセスに依存する。このようなフィルタリングプロセスを使用することなく３次元イメージを認識するため３次元の感覚または効果は、例えば、自動立体ディスプレイのように、観察者に場面を相異にして空間的に分割した視点を提供することで達成することができる。自動立体ディスプレイは、イメージを空間的に分割することによってイメージを認識するために光学部を用いてもよい。代表的に、レンチキュラーレンズ（Ｌｅｎｔｉｃｕｌａｒ  ｌｅｎｓ）またはパララックスバリア（Ｐａｒａｌｌａｘ  ｂａｒｒｉｅｒ）が光学部として使用されてもよい。レンチキュラーレンズは単に特定方向で各ピクセルイメージを表現できるだけであって、パララックスバリアはスリットを介して特定方向から単に特定ピクセルのみを見せる。
【０００３】
したがって、例えば、レンチキュラーレンズ方式、またはパララックスバリア方式に基づいた無メガネ又はメガネ無し（Ｇｌａｓｓ−ｆｒｅｅ）多視点３次元（３−Ｄｉｍｅｎｓｉｏｎａｌ：３Ｄ）ディスプレイ技術が知られている。しかし、多視点３Ｄディスプレイ装置の画面をユーザが視聴する場合、ユーザがビューイングコーン（Ｖｉｅｗｉｎｇ  ｃｏｎｅｓ）、例えば、自動立体ディスプレイを視聴することができるスクリーン前にデザインされたそれぞれの領域間を移動するときに逆視（Ｐｓｅｕｄｏｓｃｏｐｉｃ）状態が発生することがある。例えば、ユーザがビューイングコーン間を移動するとき、８−ｖｉｅｗディスプレイ装置が提供するビューイングコーンのうち、ユーザの左眼が特定ビューイングコーンの右眼のために意図した第８の視点映像（８ｔｈ  ｖｉｅｗ  ｉｍａｇｅ）を受信し、ユーザの右眼が特定ビューイングコーンと隣接する異なるビューイングコーンの左眼のために意図した第１の視点映像（１ｓｔ  ｖｉｅｗ  ｉｍａｇｅ）を受信する場合に逆視イメージを経験することになる。このような逆視は、反転したステレオとして理解される。それと共に、例えば、特定ビューイングコーンの第８の視点と隣接するビューイングコーンの第１の視点によって形成される逆視領域のように、視点映像間の視差が大きい場合、ユーザは２つの視点映像間の激しいクロストーク（又はＸ−ｔａｌｋ）のために３Ｄ映像として認知することができず、異なる２つのイメージとして認知する。
【発明の概要】
【発明が解決しようとする課題】
【０００４】
多視点映像を提供するディスプレイ装置において、通常の設計方式とは異なって光学部を設計することで不連続な視点インデックスを有する視点映像に対するピクセルの光をユーザの左眼位置及び右眼位置にそれぞれ伝達する。これにり、逆視によって現れる画質低下の問題を減少させ得る。
【課題を解決するための手段】
【０００５】
一側面によると、多視点映像を提供するディスプレイ装置であって、ピクセルアレイを含むパネル部であって、前記ピクセルアレイは、光学部に前記多視点映像の複数の視点に対応する光をそれぞれ提供するための複数のピクセルを含む、パネル部と、前記複数のピクセルのうち不連続な視点インデックスを有する前記多視点映像の視点映像のための光を提供するピクセルからの光を、ユーザの左眼位置と右眼位置それぞれに向ける光学部と、を備えるディスプレイ装置を提供する。
【０００６】
他の実施形態によると、多視点映像を提供するディスプレイ装置であって、複数のピクセルを有するピクセルアレイを含むパネル部と、ビューイングコーンを形成し、前記ピクセルからの光を前記ビューイングコーンに向ける光学部と、を備え、前記ビューイングコーンは、前記光学部からの不連続な視点インデックスを有する前記多視点映像の視点映像のための前記ピクセルからの光をユーザの左眼位置と右眼位置に提供することを特徴とするディスプレイ装置を提供する。
【０００７】
更なる一実施形態によると、多視点映像の他の視点を示す異なる視点映像のための光を提供し、連続的な視点インデックスによる視点映像が複数のピクセルの繰り返される順次的な配列によって順次投影されるように前記複数のピクセルを駆動するパネル部と、不連続な視点インデックスを有する前記多視点映像の視点映像のための光を提供するピクセルからの光をユーザの左眼位置と右眼位置それぞれに向ける光学部と、を備えることを特徴とする多視点映像を提供するためのディスプレイ装置を提供する。
【０００８】
更なる一実施形態形態によると、多視点映像の複数の視点それぞれに対応する複数のピクセルからの光を提供するステップと、前記複数のピクセルのうち不連続な視点インデックスを有する前記多視点映像の視点映像のための光を提供するピクセルからの光を、ユーザの左眼位置と右眼位置それぞれに向けるステップとを含む多視点映像提供方法を提供する。
【０００９】
更なる一実施形態によると、多視点映像の複数の視点それぞれに対応するピクセルからの光を提供するステップと、ビューイングコーンを形成し、ピクセルアレイに含まれる複数のピクセルからの光を前記ビューイングコーンに向けるステップと、を含み、前記ビューイングコーンは、不連続な視点インデックスを有する前記多視点映像の視点映像のための前記ピクセルからの光をユーザの左眼位置と右眼位置に提供することを特徴とする多視点映像提供方法を提供する。
【００１０】
更なる一実施形態によると、ディスプレイ装置に方法を実行させるプログラムであって、前記方法は、多視点映像の深さ感視差を１／Ｎ倍に減少させるステップであって、Ｎは１よりも大きい自然数である、ステップと、前記多視点映像の複数の視点それぞれを示す前記多視点映像の複数の視点映像に対応する光を提供するようパネル部のピクセルアレイに含まれる複数のピクセルを駆動し、前記複数のピクセルのうちインデックスがＮだけ離れたピクセルから提供される光がユーザの左眼位置と右眼位置それぞれに不連続な視点インデックスを有する視点映像を提供するステップと、を含む、プログラム提供する。
【発明の効果】
【００１１】
本発明によると、多視点映像を提供するディスプレイ装置において、通常の設計方式と異なって光学部を設計することで不連続な視点インデックスを有する視点映像に対するピクセルの光をユーザの左眼位置及び右眼位置にそれぞれ伝達することができる。これにより、逆視によって現れる画質低下を減少させ得る。
【図面の簡単な説明】
【００１２】
【図１】一実施形態に係るディスプレイ装置を示すブロック図である。
【図２】一実施形態に係るディスプレイ装置を介してユーザの両眼に視点映像が提供される過程を説明するための図である。
【図３】他の一実施形態に係るディスプレイ装置を示すブロック図である。
【図４】一実施形態に係る視点インデックスと位置の関係及び左眼−右眼の視点対を示すグラフである。
【図５】一実施形態に係るディスプレイ装置を介してユーザの左眼及び右眼に視点映像が伝えられる過程を説明するための図である。
【図６】レンチキュラーレンズの基本構造を説明するための図である。
【図７】レンチキュラーレンズの基本構造を説明するための図である。
【図８】一実施形態によりレンズアレイピッチ及びアレイ間隔を調整した光学部の構造を示す。
【図９】他の一実施形態によりレンズアレイピッチを調整した光学部の構造を示す。
【図１０】一実施形態によりレンズ外側の表面とパネル部との間の距離を調整した光学部の構造を示す。
【図１１】一実施形態によりレンズ曲率半径を調整した光学部の構造を示す。
【図１２】一実施形態に係るディスプレイ装置の動作方法を示すフローチャートである。
【発明を実施するための形態】
【００１３】
以下、一部の実施形態を添付する図面を参照しながら詳細に説明する。しかし、このような実施形態によって権利範囲が制限されたり限定されることはない。各図面に提示された同一の参照符号は同一の部材を示す。
【００１４】
下記の説明で用いられる用語は、関連する技術分野で一般的かつ普遍的なもので選択されたが、技術の発達及び／または変化、慣例、技術者の選好などに応じて他の用語が使用されてもよい。したがって、下記の説明で用いられる用語は、技術的な思想を限定するものとして理解することなく、実施形態を説明するための例示的な用語として理解されなければならない。
【００１５】
図１は、一実施形態に係るディスプレイ装置を示すブロック図である。
【００１６】
一実施形態によると、ディスプレイ装置１００は、パネル部１１０及び光学部１２０を備える。パネル部は１１０は、多視点映像を提供するピクセルアレイを含んでもよい。ピクセルアレイには、多視点映像の他の視点映像を提供するための複数の視点、例えば、８個の視点に対応するピクセルが特定方向または配列に繰り返して配置されてもよい。例示的に、８−Ｖｉｅｗディスプレイ装置の場合に、１ｓｔ視点、２ｎｄ視点、３ｒｄ視点、４ｔｈ視点、５ｔｈ視点、６ｔｈ視点、７ｔｈ視点、及び８ｔｈ視点に対応するピクセルが順に配列しながら、このような視点配列が繰り返し含まれてもよい。参考として、多視点映像は、８−Ｖｉｅｗ多視点映像ディスプレイ装置を例示的に説明するが、これは理解を助けるための例にすぎず、特定の個数の視点に限定して解釈されることはない。
【００１７】
一方、パネル部１１０は、一例として、ＬＣＤ（Ｌｉｑｕｉｄ  Ｃｒｙｓｔａｌ  Ｄｉｓｐｌａｙ）パネル、またはＯＬＥＤ（Ｏｒｇａｎｉｃ  Ｌｉｇｈｔ  Ｅｍｉｔｔｉｎｇ  Ｄｉｏｄｅｓ）パネルであってもよいが、特定形態の構造に限定されることはない。
【００１８】
パネル部１１０が提供する８個の視点映像は、光学部１２０によって角度分布を有しながら提供されてもよい。例示的に、光学部１２０はレンチキュラーレンズアレイを含んでもよく、ディスプレイ装置１００でパネル部１１０の外面に配置されてもよい。
【００１９】
一方、通常、多視点ディスプレイ装置を設計するとき、予想されるユーザ視聴距離が合理的に考慮される。このような自動立体映像が視聴され得る視聴距離は、予め指定された視聴距離であってもよく、ディスプレイ装置のパネル大きさ、解像度、消費市場国、住居文化、技術的実現の難易度などの様々な要素を考慮して決定され、例えば、３．５メートル〜７メートルの間のいずれの値及び／またはいずれの範囲に決定されてもよい。
【００２０】
一実施形態によると、光学部１２０は、不連続な視点インデックスを有する視点映像がそれぞれ投影されるピクセルからの光を、予め指定された視聴距離にあるユーザの左眼位置と右眼位置に向けるようにする構造である。例えば、予め指定された視聴距離にあるユーザの左眼に３ｒｄ視点映像が提供されれば、右眼には７ｔｈ視点映像が提供される構造を有してもよい。自動立体映像はユーザに視聴されるようにデザインされ、ユーザに３Ｄ効果を提供するようにデザインされてもよい。相異にナンバリングされた視点映像（または、異なる視点インデックスを有する視点映像）は、例えば、１ｓｔ視点、２ｎｄ視点、３ｒｄ視点などのような場面の視点映像それぞれがキャプチャーされる仮想または実際カメラの位置間の空間的な差を示してもよい。例えば、１ｓｔ視点に対応するカメラ及び８ｔｈ視点に対応するカメラはそれほど近くない箇所に位置するので、各カメラがキャプチャーする場面に対応する１ｓｔ視点映像及び８ｔｈ視点映像はそれほど類似しない。１ｓｔ及び８ｔｈ視点のそれぞれに対応するカメラと比較し、１ｓｔ視点に対応するカメラ及び２ｎｄ視点に対応するカメラはより近くに位置するため、１ｓｔ及び２ｎｄ視点映像は、１ｓｔ及び８ｔｈ視点映像よりも類似する。以下、このような１ｓｔ視点、２ｎｄ視点、３ｒｄ視点などにおける視点映像は、視点インデックス１、２、３などに対応する各ピクセルとして図２でそれぞれ識別される。
【００２１】
後述するが、上記で説明したように、実施形態によって左眼に提供される視点と右眼に提供される視点の視点インデックス差が４（＝７−３）であるが、これはあくまでも両眼それぞれに提供される視点映像の間の差を分別するために異なる視点間を比較するための例示的な一実施形態に過ぎず、視点インデックス差異は２以上の整数であってもよい。このように自動立体映像を提供するために視点インデックス差が２以上である場合を不連続な視点インデックスまたは連続的ではない視点インデックスと言い、この場合に不連続な視点インデックスを有する視点映像は左眼及び右眼にそれぞれ提供されてもよい。
【００２２】
従来における連続的な視点インデックスではユーザの左眼に３ｒｄ視点映像が提供される場合、右眼には４ｔｈ視点映像が提供されるようにする。ユーザには、左眼に提供される３ｒｄ視点映像と右眼に提供される４ｔｈ視点映像が自動立体映像として認知され、３Ｄ立体感を経験することができる。
【００２３】
しかし、上記で説明したように、このような場合にビューイングコーンの間の境界にユーザがいる場合、左眼に８ｔｈ視点映像が受信され、右眼に１ｓｔ視点映像が受信されることで、ユーザは深刻な逆視映像を観察することになる。さらに、８ｔｈ視点映像と１ｓｔ視点映像は視差が極めて大きいため、ユーザは深刻なクロストークを経験するようになり、これによってユーザは提供された映像を３Ｄ映像として認識できず、２つの別途の２Ｄ映像として認識する。
【００２４】
したがって、実施形態によると、予め指定された視聴距離でユーザの左眼と右眼それぞれに受信される映像の視点インデックスが連続的ではないようにするディスプレイ装置の構造、より特定すると、光学部１２０の構造が提示されている。
【００２５】
実施形態によると、不連続または連続的ではない視点インデックスを有する視点映像を用いて予め指定された視聴距離内でユーザに自動立体映像を提供するために、対応する視点インデックス差を最小化し又は減少させるよう光学部１２０がデザインされている。視点インデックス差が最小化されたり減少されない場合、例えば、８視点映像で視点インデックス差が７である場合、ユーザは実際に別途の２つの２Ｄ映像に認識してもよい。したがって、最小化され又は減少した視点インデックス差によって受信された２つの２Ｄイメージが別に認識されず、単に逆視映像として観察される。
【００２６】
従来の方式で、予め指定された視聴距離でユーザの左眼位置とユーザの右眼位置に連続的な視点インデックス（視点インデックス差が「１」である場合）を有するようにする光学部の構造を通常の設計仕様と表現してもよい。
【００２７】
例示的に、このような通常の設計仕様は、連続的な視点インデックスを用いて自動立体映像を提供するために光学部の材質に対応する屈折率、光学部表面の曲率半径、光学部に含まれるレンズアレイのピッチ、パネル部から光学部の表面までの距離、光学部に含まれるレンズアレイ間隔のうち少なくとも１つを含んでもよい。
【００２８】
実施形態に係る光学部１２０の構造は、通常の意味の設計仕様と異なるように製造してもよい。例えば、このような設計仕様は、不連続な視点インデックスを用いて自動立体映像を提供するために光学部の材質に対応する屈折率、光学部表面の曲率半径、光学部に含まれるレンズアレイのピッチ、パネル部から光学部の表面までの距離、光学部に含まれるレンズアレイ間隔のうち少なくとも１つを含んでもよい。
【００２９】
光学部１２０が実施形態に係る設計仕様で製造される場合、自動立体映像は、左眼位置及び右眼位置それぞれに提供される不連続な視点インデックスを有する視点映像に対するピクセルからの光に基づいて見られる。
【００３０】
一実施形態によると、光学部１２０は、光学部１２０の材質に対応する屈折率において通常の設計仕様と異なる屈折率を有してもよい。この場合、光学部１２０は、左眼位置と右眼位置に連続的な視点インデックスを有する視点映像に対するピクセルの光を提供するようにデザインされた通常の設計仕様における第１屈折率よりも小さい第２屈折率を有してもよい。ここで、第２屈折率は、左眼位置と右眼位置に不連続な視点インデックスを有する視点映像に対するピクセルの光を提供するようにする光学部１２０の屈折率であってもよい。
【００３１】
他の一実施形態によると、光学部１２０は、光学部１２０に含まれるレンズアレイのピッチにおいて、通常の設計仕様と異なるピッチを有してもよい。この場合、光学部１２０は、左眼位置と右眼位置に連続的な視点インデックスを有する視点映像に対するピクセルの光を提供するようにデザインされた通常の設計仕様における第１ピッチよりも小さい第２ピッチを有し、第２ピッチは左眼位置と右眼位置に不連続な視点インデックスを有する視点映像に対するピクセルの光をそれぞれ提供するようにする光学部１２０のレンズアレイピッチであってもよい。本実施形態については図８を参照して詳細に後述する。
【００３２】
更なる一実施形態によると、光学部１２０は、レンズアレイ間隔において連続的な視点インデックスを用いて自動立体映像を提供するためにデザインされる通常の設計仕様とは異なるレンズアレイ間隔を有してもよい。この場合、光学部１２０は、左眼位置と右眼位置に連続的な視点インデックスを有する視点映像に対するピクセルの光を提供する通常の設計仕様における第１間隔よりも小さい第２間隔を有するように製造され、第２間隔は、左眼位置と右眼位置に不連続な視点インデックスを有する視点映像のピクセルの光をそれぞれ提供する光学部１２０のレンズアレイ間隔であってもよい。本実施形態についても図８を参照して詳細に後述する。
【００３３】
一方、光学部１２０は、左眼位置と右眼位置に連続的な視点インデックスを有する視点映像に対するピクセルの光を提供するレンズアレイ間隔を保持しながら個別の突出部分それぞれのピッチが第２ピッチになるよう製造され、個別突出部分の間の底面部分は光を遮断するように構成してもよい。実施形態によると、決定されたピッチは、左眼位置及び右眼位置それぞれに提供される不連続な視点インデックスを有する視点映像に対するピクセルの光に対応する。本実施形態に対しては図９を参考して詳細に後述する。
【００３４】
更なる一実施形態によると、光学部１２０は、パネル部１１０から光学部１２０の表面までの距離、及び／または光学部１２０の厚さにおいて通常の設計仕様と異なる値を有してもよい。この場合、光学部１２０は、左眼位置と右眼位置に連続的な視点インデックスを有する視点映像に対するピクセルの光が伝えられるようにする第１距離（または第１厚さ）よりも大きい第２距離（または第２厚さ）を有し、第２距離（または第２厚さ）は、左眼位置と右眼位置に不連続な視点インデックスを有する視点映像に対するピクセルの光をそれぞれ伝達する距離（または厚さ）であってもよい。本実施形態に対しては図１０を参照して詳細に後述する。
【００３５】
更なる一実施形態によると、光学部１２０は、表面の曲率半径において通常の設計仕様と異なる曲率半径を有してもよい。この場合、光学部１２０は、左眼位置と右眼位置に連続的な視点インデックスを有する視点映像に対するピクセルの光が提供されるようにデザインされた通常の設計仕様における第１曲率半径よりも大きい第２曲率半径を有するように製造され、第２曲率半径は、左眼位置と右眼位置に不連続な視点インデックスを有する視点映像に対するピクセルの光をそれぞれ提供する光学部１２０の曲率半径であってもよい。本実施形態に対しては図１１を参照して詳細に後述する。
【００３６】
一方、他の一側面によると、光学部１２０は、ビューイングコーンを形成してピクセルアレイを介して提供される複数の視点に対応するピクセルをユーザに伝達するものとして理解されてもよい。この場合、光学部１２０は、予め指定された視聴距離にあるユーザの左眼位置と右眼位置に、不連続な視点インデックスを有する視点映像に対するピクセルの光が伝えられるように、ビューイングコーンの視野角を狭めるように構成してもよい。このような視野角を狭めることによって、視点の角度分布による視点角密度は高くなり得る。したがって、ユーザは細かい視点の映像が提供され得る。視野角を狭める光学部１２０の構造の実施形態は前述した通りである。
【００３７】
図２は、一実施形態に係るディスプレイ装置を介してユーザの両眼に視点映像が提供される過程を説明するための図である。例示的に、８−Ｖｉｅｗディスプレイ装置が図示されている。
【００３８】
パネル部２１０には、図示するようにピクセルアレイが含まれ、理解を助けるために各ピクセル２０１、２０３、２０４、２０７及び２０８には視点インデックスが表示されている。自動立体映像イメージを提供するために、光学部２２０は、予め指定された視聴距離にあるユーザの左眼２１１に視点インデックス「３」を有するピクセル２０３の光を向ける。そして、光学部２２０は、ユーザの右眼２１２に視点インデックス「７」を有するピクセル２０７の光を向ける。同様に、３次元効果を達成するために、視点インデックス「８」に対応するピクセル２０８からの光はユーザの左眼２１１に向けられ、視点インデックス「４」に対応するピクセル２０４からの光はユーザの右眼２１２に向けられる。連続的な視点インデックス方法を用いる通常の従来技術によると、予め指定された視聴距離にあるユーザにおいて、左眼２１１に視点インデックス「３」を有するピクセル２０３の光が伝えられる場合、右眼２１２には視点インデックス「４」を有するピクセル２０４の光が伝えられることが光学部の構造の通常の設計仕様であった。同様に、連続的な視点インデックス方法を用いて通常の従来の技術によると、視点インデックス「４」に対応するピクセル２０４からの光はユーザの左眼２１１に向けられ、視点インデックス「５」に対応する連続的に隣接するピクセルからの光はユーザの右眼２１２に向けられる。
【００３９】
上述したように、ユーザがビューイングコーンの境界の間で動く場合、連続的な視点インデックスに関する通常の従来技術は、視点インデックス「８」に対応するピクセル２０８からの光をユーザの左眼２１１に向け、視点インデックス「１」に対応するピクセル２０１からの光を右眼２１２に向ける。この結果、逆視映像がユーザによって観察される。ピクセル２０８及びピクセル２０１の視点インデックスの間の差が大きいため、ユーザは実際に別途の２つの映像を観察する。
【００４０】
実施形態によると、連続的な視点インデックスに関する従来技術に比べて逆視区間は増大し得るが、ビューイングコーンの境界で左眼２１１には視点インデックス「８」である映像が提供され、右眼２１２には視点インデックス「１」である映像が提供されることで、ユーザが激しいクロストークを体験することを防止することができる。
【００４１】
一方、この実施形態によると、左眼２１１と右眼２１２に提供される視点インデックス差が「１」ではなく「４」となるため、ユーザが立体感を大きく感じたり、深さ感が大きく誇張したことをを感じることになるが、このような場合に引き起こす視聴疲労を減少するためにディスプレイ装置には予め入力される多視点映像の立体感を減少させることができる。例えば、入力多視点映像の視差を一括的に１／４に調整した後、実施形態に係る視点を配置すると、視点インデックス差が「４」であってもユーザは視点インデックス差が「１」のような立体感を感じる。したがって、ディスプレイ装置は、入力多視点映像の視差を調整して不連続な視点インデックスを補償する処理部をさらに含んでもよく、処理部の構成は図３を参照してさらに説明する。
【００４２】
図３は、他の一実施形態に係るディスプレイ装置を示すブロック図である。
【００４３】
一実施形態によると、ディスプレイ装置３００は、パネル部３２０及び光学部３３０の他に入力多視点映像の深さ視差を調整して不連続な視点インデックスを補償する処理部３１０をさらに備えてもよい。パネル部３２０や光学部３３０の構造及び機能の様々な実施形態は、図１を参照して上述した通りである。
【００４４】
処理部３１０は、光学部３３０の構造により予め指定された視聴距離でユーザの左眼と右眼に提供される映像の視点インデックス差がＮ（Ｎは自然数）であれば、入力多視点映像それぞれに対して視差を１／Ｎ倍してパネル部３２０に提供してもよい。例えば、予め指定された視聴距離でユーザの両眼に提供される映像の視点インデックス差が「２」であれば、処理部３１０は入力される多視点映像の視差（または立体感とも言える）を１／２倍に調整してパネル部３２０に提供してもよい。視差または立体感の調整程度は、光学部３３０の構造により予め指定されてもよく、ユーザの設定に応じて決定されてもよい。したがって、視差または立体感の調整程度は、従来と異なる光学部３３０の構造による立体感の差を補償するための選択的な構成であってもよく、その実現はソフトウェア的な方法及び／またはハードウェア的な方法においていずれの特定技術にも限定されることはない。
【００４５】
図４は、一実施形態に係る視点インデックスと位置との関係及び左眼−右眼の視点対を示すグラフである。
【００４６】
映像を受信する位置が変わることによって視点インデックスが配置されることは従来と同様である。しかし、実施形態によると、従来とは異なって、ユーザの両眼に提供される視点インデックス対（Ｐａｉｒ）が不連続な視点インデックスを含んでいる。
【００４７】
前述したように、８−Ｖｉｅｗディスプレイ装置の例で、視点インデックス差を「４」とする光学部の構造を有するれば、インデックス対は３、７、４、８、５、１、６、２などのようになる。この場合、上記それぞれの対でインデックス差は「＋４」（７−３）、「＋４」（８−４）、「−４」（１−５）、「−４」（２−６）となるが、インデックス差が負数となる区間は逆視区間として理解されてもよい。連続的な視点インデックス方法に関する従来技術では、視点インデックス差は「１」とする通常の光学部の構造を有するので、視点インデックス差が「１」または「−７」（１−８）になる。視点インデックス差が「７」となる区間は逆視区間として理解されてもよい。「−７」である視点インデックス差は激しいクロストークを引き起こし、ユーザは同時に８ｔｈ視点映像と１ｓｔ視点映像を観察して、ユーザは実際に８ｔｈ視点映像と１ｓｔ視点映像をそれぞれ別途の２Ｄ映像として観察する。
【００４８】
前述のように、隣接する連続的な視点インデックスを対にして提供するときに比べて逆視区間は増加することがあるが、逆視区間内で最大インデックス差の絶対値は「４」となるため、従来における「７」（＝｜１−８｜）よりも小さい。さらに、入力多視点映像の視差を予め１／４倍に縮小することが可能であるため、図４に示す実施形態で各インデックス差は「＋１」、「＋１」、「−１」、「−１」となる。
【００４９】
より具体的に、表１で連続的な視点インデックス方法の従来方式と実施形態とを比較する。
【００５０】
【表１】
2015069210.tif 000003
表１を参照して容易に理解できるように、従来は両眼視点のインデックス対のインデックス差が「１」または「−７」であった。この場合、逆視区間は１つである一方、上記のように深刻なクロストークによりユーザが３Ｄ映像ではない別途の２つの２Ｄ映像として認識する。しかし、実施形態によると、両眼視点のインデックス対のインデックス差を「２」にしたり「４」にすることで、逆視区間は増加するものの、インデックス差が従来のように「−７」のような値にはならない。さらに、入力多視点映像の視差を調整した後に提供すると、インデックス差はより減らし得る。表１に示す例示的な実施形態１では、逆視区間が２区間であり、インデックス差は「−３」であるため、従来に比べてクロストークが緩和される。また、図４に示すような例示的な実施形態２の場合、逆視区間は４区間増かしたが、視差調整の後にインデックス差は「１」または「−１」であるため、クロストークが著しく緩和されたと理解される。
【００５１】
図５は、一実施形態に係るディスプレイ装置を介してユーザの左眼及び右眼に視点映像が伝えられる過程を説明するための図である。パネル部５１０のピクセルが光学部５２０を用いて予め指定された視聴距離にあるユーザの左眼５１１及び右眼５１２に視点インデックス差「４」を有する映像を提供する。この場合も、上記のように入力多視点映像の視差を１／４に調整すると、表１の例示的な実施形態２のようにユーザが相対的に弱い逆視を体験する。
【００５２】
以下、図示するように、多視点映像を提供する光学部５２０の例示的な構成をより具体的に説明する。
【００５３】
図６及び図７は、レンチキュラーレンズの基本構造を説明するための図である。
【００５４】
レンチキュラーレンズの例示的な構造が示された。このような構造で下記の数式（１）〜（３）が成立する。
【００５５】
【数１】
2015069210.tif 000004
上記した数式及び図６に示すＲは、レンズの極光線の方向と極光線がレンズの外部に出て行く交差点における法線方向との間の角度である。そして、Ａは曲面中心から観測した曲面角度である。そして、ｐはピッチまたはレンチキュラーセルそれぞれの広さである。ｒは、レンチキュラー曲率半径である。また、ｈは、レンズ曲面の下のサブストレートの厚さであり、下記の数式（３）のように理解される。
【００５６】
【数２】
2015069210.tif 000005
ここで、ｅはレンズ曲面を含む厚さ、ｆはレンズ曲面の厚さである。ｆは曲率半径ｒとピッチｐを用いて下記のように求めることができる。
【００５７】
【数３】
2015069210.tif 000006
実施形態によると、ｒ、ｐ、ｈのうち少なくとも１つを変更することによって、予め指定された視聴距離にある左眼及び右眼それぞれに、視点インデックスに「２」以上の差異がある映像を提供してもよい。その他にも異なる変形も可能であり、より詳細な内容は後述する。
【００５８】
図７を参照すると、レンチキュラーセルのビューイングコーンの視野角に関するＯ、図示するように極光線と法線との間の角である角度Ｉ及びＡは下のような関係がある。
【００５９】
【数４】
2015069210.tif 000007
そして、レンズの屈折率をｎと称し、空気の屈折率をｎａとすると、下記の数式（６）のような関係がある。
【００６０】
【数５】
2015069210.tif 000008
以上の数式（１）ないし（６）を参照すると、ピッチｐが小さいほど、ｈやｅが大きいほど、曲率半径が大きいほど、そして屈折率が小さいほど視野角Ｏは小さくなり、これにより視点密度が高まって実施形態に係る視点配置が可能であることを理解することができる。このような例示的な実施形態の他にも更なる変形があり、思想を逸脱しない限り当業者にとって自明な変形や応用も実施形態から排除されることはない。
【００６１】
具体的な数個の実施形態を光学部の構造についてさらに説明する。
【００６２】
図８は、一実施形態によりレンズアレイピッチ及びアレイ間隔を調整した光学部の構造を示す。一実施形態に係る光学部８００は、通常の設計仕様と異なる第１ピッチｐよりも小さいレンズアレイのピッチである第２ピッチｐ’を有してもよい。この場合、第２ピッチｐ’は、左眼位置と右眼位置に不連続な視点インデックスを有する視点映像に対するピクセルの光をそれぞれ伝達する光学部のレンズアレイピッチであってもよい。
【００６３】
実施形態では、ピッチと共にレンチキュラーセル間の距離（または、レンチキュラーレンズアレイ間隔）も小さくなった。光学部８００のレンズアレイ間隔の第２間隔は、通常の設計仕様による第１間隔よりも小さい値であってもよい。そして、第２間隔は、左眼位置と右眼位置に不連続な視点インデックスを有する視点映像に対するピクセルの光をそれぞれ伝達する光学部のレンズアレイ間隔であってもよい。
【００６４】
図８に示すように、ピッチとレンズアレイ間隔が同一であり、ピッチと共にレンズアレイ間隔も小さくなる場合は、同じ広さのパネル部をカバーするためにレンチキュラーレンズセルの数は増加する。一方、レンズアレイ間隔がピッチと同一な必要がなく、他の実施形態ではレンズアレイ間隔は通常的間隔を保持しながらピッチのみを減少させることも可能であり、図９を参照して説明する。
【００６５】
図９は、他の一実施形態によりレンズアレイピッチを調整した光学部の構造を示す。図示するように、光学部９００ピッチは、図８に示す実施形態と同一にｐ’となるが、レンズアレイ間隔は従来と同一であってもよい。この場合、レンズアレイセルの間の底面部が存在するが、不要な光の通過を防止してビューイングコーンを正確に実現するために該底面部分では光が通過されないように製造してもよい。図９に示すように、当該部分９１０及び９２０に光の透過を遮断する材質の遮断物質をコーティングしてもよい。もちろん、コーティングの他にも様々な方法の光遮断が可能であり、光の遮断が必要でない場合に光遮断は省略されてもよい。
【００６６】
図１０は、一実施形態によりレンズ外側の表面とパネル部との間の距離を調整した光学部の構造を示す。
【００６７】
光学部１０００の曲面の下部サブストレートの厚さが通常の値よりも大きいｈ’となる。また、数式（３）を参照するとレンズ全体の厚さｅをより大きい値にしたり、及び／または曲面部厚さのｆをより小さい値にすることも可能である。
【００６８】
例として、通常の設計仕様により予め指定された視聴距離にある左眼位置と右眼位置に連続的な視点インデックスを有するピクセルの光が伝えられるようにする第１距離（または第１厚さ）よりも大きい第２距離（または第２厚さ）を有する光学部１０００を備えてもよい。ここで、第２距離（または第２厚さ）は左眼位置と右眼位置に不連続な視点インデックスを有する視点映像に対するピクセルの光をそれぞれ伝達する距離（または厚さ）であってもよい。
【００６９】
図１１は、一実施形態によりレンズ曲率半径を調整した光学部の構造を示す。図示された光学部の構造を参照すると、実施形態に係る光学部は、通常の設計仕様による第１曲率半径よりも大きい第２曲率半径ｒ’を有してもよい。数式（１）、数式（２）及び数式（４）などを参照すると、レンズ曲率半径が大きい場合、ビューイングコーンの視野角が狭くなり、視点密度は高くなる。したがって、予め指定された視聴距離にある左眼及び右眼に、上述したように不連続な視点インデックスを有する視点映像に対するピクセルの光を伝達することができる。
【００７０】
図１２は、一実施形態に係るディスプレイ装置の動作方法を示すフローチャートである。ステップＳ１２１０において、ディスプレイ装置３００の処理部３１０は、入力多視点映像の視差を調整する。図２及び図３を参照して上述したように、不連続な視点インデックスに対応する映像を左眼及び右眼それぞれに提供することによって、視点インデックス差の大きい自動立体映像が伝えられることで立体感は増大する。したがって、３Ｄコンテンツ本来の立体感を最大にわい曲することなく、また、ユーザ視聴の疲れを減少するために処理部３１０が該当ステップで入力多視点映像の視差を調整して不連続な視点インデックスを補償する。
【００７１】
例示的に、光学部３３０の構造により予め指定された視聴距離でユーザの左眼と右眼に提供される映像の視点インデックス差がＮ（Ｎは自然数）であれば、入力多視点映像それぞれに対して視差を１／Ｎ倍にしてパネル部３２０に提供してもよい。例えば、予め指定された視聴距離でユーザの両眼に提供される映像の視点インデックス差が「４」であれば、処理部３１０はステップＳ１２１０において、入力される多視点映像の視差（または立体感）を１／４倍に調整する。一方、ディスプレイ装置の動作方法において、ステップＳ１２１０は選択的な段階であってもよく、その実現はソフトウェア的な方法及び／またはハードウェア的な方法においていずれの特定技術に限定されることはない。
【００７２】
ステップＳ１２２０において、パネル部３２０が駆動して入力多視点映像がピクセルアレイを介して多視点映像を提供する。そして、実施形態に係る光学部３３０によってステップＳ１２３０で、多視点映像の視点映像がユーザの両眼に伝えられる。この場合、ステップＳ１２３０において光学部３３０は、予め指定された視聴距離にあるユーザの左眼位置と右眼位置に、視点インデックスを不連続にする視点映像を有する視点映像に対するピクセルの光を伝達する。例えば、予め指定された視聴距離にあるユーザの左眼に３ｒｄ視点映像が提供されれば、右眼には７ｔｈ視点映像が提供されてもよい。
【００７３】
実施形態によると、光学部の材質に対応する屈折率、光学部表面の曲率半径、光学部に含まれるレンズアレイのピッチ、パネル部から光学部の表面までの距離、光学部に含まれるレンズアレイ間隔のうち少なくとも１つを従来と別にしているが、これは図１、図６ないし図１１などを参照して上述したものと同一である。
【００７４】
以上で説明された装置は、ハードウェア構成要素、ソフトウェア構成要素、及び／またはハードウェア構成要素及びソフトウェア構成要素の組合で実現してもよい。例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサー、または、命令を実行して応答できる異なる装置のように、１つ以上の汎用コンピュータまたは特殊目的のコンピュータを用いて実現されてもよい。処理装置は、オペレーティングシステム（ＯＳ）及びオペレーティングシステム上で行われる１つ以上のソフトウェアアプリケーションを実行してもよい。また、処理装置は、ソフトウェアの実行に応答してデータをアクセス、格納、操作、処理及び生成してもよい。理解の便宜のために、処理装置は１つ使用されるものと説明された場合もあるが、当該の技術分野で通常の知識を有する者は、処理装置が複数の処理要素及び／または複数類型の処理要素を含んでいることが分かる。例えば、処理装置は、複数のプロセッサまたは１つのプロセッサ及び１つのコントローラを含んでもよい。また、並列プロセッサのような、他の処理構成も可能である。
【００７５】
ソフトウェアはコンピュータプログラム、コード、命令、またはこのうちの１つ以上の組合を含んでもよく、希望の通りに動作するよう処理装置を構成したり独立的または結合的に処理装置に命令してもよい。ソフトウェア及び／またはデータは、処理装置によって解釈されたり処理装置に命令またはデータを提供するためどのような類型の機械、構成要素、物理的装置、仮想装置、コンピュータ格納媒体または装置、送信される信号波に永久的または一時的に具体化できる。ソフトウェアは、ネットワークに接続されたコンピュータシステム上に分散し、分散された方法で格納されたり実行されてもよい。ソフトウェア及びデータは１つ以上のコンピュータで読み出し可能な記録媒体に格納されてもよい。
【００７６】
実施形態に係る方法は、多様なコンピュータ手段を介して様々な処理を実行することができるプログラム命令の形態で実現され、コンピュータ読取可能な記録媒体に記録されてもよい。コンピュータ読取可能な媒体は、プログラム命令、データファイル、データ構造などのうちの１つまたはその組合せを含んでもよい。媒体に記録されるプログラム命令は、本発明の目的のために特別に設計されて構成されたものでもよく、コンピュータソフトウェア分野の技術を有する当業者にとって公知のものであり、使用可能なものであってもよい。
【００７７】
上述したように、本発明を限定された実施形態と図面によって説明したが、本発明は、上記の実施形態に限定されることなく、本発明が属する分野における通常の知識を有する者であれば、このような実施形態から多様な修正及び変形が可能である。
【００７８】
したがって、本発明の範囲は、開示された実施形態に限定されるものではなく、特許請求の範囲だけではなく特許請求の範囲と均等なものなどによって定められるものである。
【符号の説明】
【００７９】
１００、３００  ディスプレイ装置
１１０、２１０、３２０、５１０  パネル部
１２０、２２０、３３０、５２０  光学部
２０１〜２０８  ピクセル
２１１、５１１  右眼
２１２、５１２  左眼
３１０  処理部
【図１２】
2015069210.tif 000009
【図１】
2015069210.tif 000010
【図２】
2015069210.tif 000011
【図３】
2015069210.tif 000012
【図４】
2015069210.tif 000013
【図５】
2015069210.tif 000014
【図６】
2015069210.tif 000015
【図７】
2015069210.tif 000016
【図８】
2015069210.tif 000017
【図９】
2015069210.tif 000018
【図１０】
2015069210.tif 000019
【図１１】
2015069210.tif 000020